(57)【要約】【課題】従来の技術のカバンでは、ノート型パソコンを移動手段とする目的であるが為、移動車両内等、移動先の限られたスペースにおいてカバンに入れたままの状態で使用すると、操作する指及び手首等がカバンの下蓋本体縁部にあたり、キーボード操作等の作業がしにくく不便である。尚かつ、関連周辺機器類等を使用する際、下蓋本体縁部が周辺機器にあたり使用不能である。本発明は、ノート型パソコンをカバンの中に入れたままの状態で使用する際に於いても何ら支障なくキーボード操作や、関連周辺機器類等を簡便に使用可能にする機能を有するノート形パソコン用カバンを提供することを課題とする。【解決手段】下蓋本体左右縁部の一部の高さを低くし段差を設けると共に、下蓋本体の正面縁部が低くい為、キーボード等を操作する指及び手首等が下蓋本体縁部にあたらず、通常使用時のように、操作等を簡便に行う事が出来る。左右側面の縁が高い部分は外側に水平位置まで倒れる機能を有し、前述の課題を解決することを可能にするノート形パソコン用カバンである。【選択図】 図１
2006000443.tif 000002
【特許請求の範囲】
【請求項１】
上蓋本体ヒンジ側と左右の側立壁部の一部の高さを低くすると共に下蓋本体の底面部正面側及び側左右の側立壁部一部の高さを低くし段差部を設ける構成である。
【請求項２】
下蓋本体の側立壁部一部の段差が高い部分は外側に水平位置まで倒れる機能をゆする構成のものである。
【請求項３】
上蓋本体はヒンジを介して、水平位置まで開く機能を有する構成のものである。
【請求項４】
本体上蓋は下蓋に対し水平状態まで開く機能構成であるが、１２０度程度、開いた状態で固定しうる機能を有する構成のものである。
【請求項５】
本体上蓋、下蓋とは取り外し可能な機能を持つヒンジを介し接続される構成のものである。
【発明の詳細な説明】
【技術分野】
【０００１】
本発明は、ノート型パソコンをカバンに入れたままの状態に於いても、キーボード操作等の作業を簡便に行う事が可能な機能を有する構成のカバンに関する。
【背景技術】
【０００２】
従来技術におけるカバンは、ノート型パソコンを移動手段とする事が主たる目的であるが為、移動車両内や機内、移動先の限られたスペースにおいてカバンに入れたままの状態でノート型パソコンを使用すると、操作する指及び手首等がカバンの下蓋本体縁部にあたり、キーボード操作等の作業が非常に不便でりある。尚かつ、関連周辺機器、例えば、カードスロットルやＣＤ、ＦＤドライバー等の機能を使用する際、下蓋本体縁部が前述の周辺機器に接触し使用不可能である。
【発明の開示】
【発明が解決しようとする課題】
【０００３】
しかしながら、従来技術のカバンは、ノート型パソコンを移動手段とする事が主たる目的であるが為、移動車両内や機内、移動先の限られたスペースにおいてカバンに入れたままの状態でノート型パソコンを使用すると、操作する指及び手首等がカバンの下蓋本体縁部にあたり、キーボード操作等の作業が非常に不便でりある。尚かつ、関連周辺機器、例えば、カードスロットルやＣＤ、ＦＤドライバー等の機能を使用する際、下蓋本体縁部が前述の周辺機器に接触し使用不可能である。そこで本発明は、ノート型パソコンをカバンの中に入れたままの状態で使用する際に於いても何ら支障なくキーボード操作や、関連周辺機器の例えば、カードスロットル機能、ＣＤ・ＦＤドライバー機能等の操作なに不自由なく簡便に使用が可能な機能を有する構成のノート形パソコン用カバンを提供することを課題とする。
【課題を解決するための手段】
【０００４】
以上の課題を解決するために、図２に示すごとく、下蓋本体の正面側及び左右縁部の一部の高さを低くし段差を設けると共に、下蓋本体の縁部は正面、左右側面の一部が低くなっており、左右側面の縁が高い部分は外側に水平位置まで倒れる機能を有し、上蓋本体はヒンジを介して、全開するが、１２０度程度開いた状態で固定できることを特徴とする機能構成を有するノート形パソコン用カバンである。
【発明の効果】
【０００５】
本発明のノート型パソコン用カバンは、本体にその後方縁部で開閉可能に蓋体を連結したアタッシュケースの形態風のカバンの中にノート型パソコン入れた状態で、ノート型パソコンを使用する際に、操作する指及び手首等がカバンの下蓋本体縁部に触れないで、通常使用時のようにキーボード等の操作を簡便に行う事が出来き、尚かつ、関連周辺機器の使用が可能である。
【発明を実施するための最良の形態】
【０００６】
この発明の実施形態を詳しく説明する。本発明の請求項１に記載の発明は本体上蓋本体ヒンジ側と左右の縁部の一部の高さを低くすると共に、下蓋本体縁部の手提げ部及び左右の側立壁部一部の高さを低くし段差部を設ける。
【０００７】
本発明の請求項２、請求項３に記載の発明は、本体にその後方縁部で開閉及び着脱可能に蓋体を連結したアタッシュケースの形態風で開閉角度は全開と約１２０度の二段階の開閉機能を有する構成のものである。
【０００８】
本発明の請求項４記載の発明は、通常使用時、上蓋本体、下蓋本体とは取り外し可能な機能を持つヒンジを介し接続される構成のものである。
【０００９】
本発明の請求項５記載の発明は、カバンの中にノート型パソコン入れた状態で関連周辺機器、例えば、カードスロットルやＣＤ、ＦＤドライバー等の機能を使用する際、下蓋本体縁部が前述の周辺機器にあたり使用不能の為、左右の縁部の高い部分が外側に水平位置まで倒れ、下蓋本体縁部が前述の操作の妨げにならない機能をゆする構成である。
引続き、本発明の実施例を図面に基づき詳しく説明する。
【実施例】
【００１０】
まず図１は本発明の一実施例にかかるノート型パソコン用カバン本体を示す概念図、図２は下蓋本体図及び詳細図、図３は上蓋本体図及び詳細図、図４は下蓋本体機能詳細図を示すものである。
【００１１】
図２で示す、下蓋本体１は、下蓋底板３と、下蓋一体型縁部４、下蓋一体型底板縁部５、下蓋可倒式縁部６、６ａ、下蓋可倒式縁部固定金具７、鍵止め装置８、ヒンジ装置９、ノート型パソコンを保持するための帯体（図示せず）より構成される。
【００１２】
図３で示す、上蓋本体２は、一体式上蓋１１、鍵止め装置８ａ、ヒンジ装置９、手提げ具１０、上蓋固定金具１２、小物入れ１３で構成される。
【００１３】
上記構成により、移動車両内や機内、移動先の限られたスペースでノート型パソコン使用する際カバンから出さずにアタッシュケースの形態風のカバンの中にノート型パソコン入れた状態で、使用する際には、図１で示すように、上蓋本体２を約１２０度開け、必要に応じ下蓋可倒式縁部６、６ａを外側に水平位置まで倒れる機能えお有する為、関連周辺機器のカードスロットルやＣＤ、ＦＤドライバー等の機能が支障なく使用でき、キーボード等を操作する指及び手首等がカバンの下蓋本体縁部にあたらない為、通常使用時のようにキーボード等の操作を簡便に行う事が出来る。
【００１４】
下蓋本体１の下蓋底板３内部には、カバンの中にノート型パソコンを収納し、移動する際にはノート型パソコンを保持するための帯体（図示せず）が二本設けある。
【００１５】
上蓋本体２の一体式上蓋１１の内部には、関連小物入れ１３が設けてある。
【００１６】
下蓋底板３、下蓋本体１、一体式上蓋１１、下蓋一体型縁部４、下蓋一体型底板縁部５、下蓋可倒式縁部６、６ａの各内面には、衝撃緩衝材（図示せず）が付されてある。
【００１７】
「他の実施形態」
本発明の実施形態では、アタッシュケースの形態風ハードケースであるが、布状ソフトケースカバン形で上蓋本体の外部に、関連小物入れを設ける形態のものでもよい。
【図面の簡単な説明】
【００１８】
【図１】本発明の一実施形態を示す概念図である。
【図２】下蓋本体図及び詳細図ある。
【図３】上蓋本体図及び詳細図である。
【図４】下蓋本体機能詳細図ある。
【図５】下蓋・下蓋本体一体図ある。
【符号の説明】
【００１９】
１下蓋本体
２上蓋本体
３下蓋底板
４下蓋一体型縁部
５下蓋一体型底板縁部
６、６ａ下蓋可倒式縁部
７下蓋可倒式縁部固定金具
８錠止め装置
９ヒンジ装置
１０手提げ具上
１１一体式上蓋
１２上蓋固定金具
１３小物入れ
【図１】
2006000443.tif 000003
【図２】
2006000443.tif 000004
【図３】
2006000443.tif 000005
【図４】
2006000443.tif 000006
【図５】
2006000443.tif 000007